(57)【要約】      （修正有）【課題】メールサーバに届いたメールをＰＣのＣｌｉｐｐｅｒプログラムでフォーマット変換してＷＡＰサーバに送信し、ＷＡＰサーバがメールの宛先の携帯端末機にショートメッセージで連絡する。【解決手段】ＰＣ又はＷＡＰサーバ内のＣｌｉｐｐｅｒプログラムが使用者の設定したメールサーバに接続してメールの内容及び添付ファイルをダウンロードして、携帯端末機のフォーマットに合うように変換して、ＷＡＰサーバに伝達する。ＷＡＰサーバは設定された携帯端末機の番号にＣａｌｌＢａｃｋ  ＳＭＳを伝送し、使用者はＷＡＰサーバより変換されたメールをダウンロードしてビューワプログラムにより内容及び添付ファイルを確認することができる。【選択図】図１
2007109191.tif 000002
【特許請求の範囲】
【請求項１】
ＰＣ及びＷＡＰサーバー上で受信したｅメール内容及び添付ファイルを変換し、直接携帯電話に伝送又はＣａｌｌＢａｃｋ  ＳＭＳを利用して携帯端末機に伝送する方法
【請求項２】
第〔請求項１〕において、ＰＣ上でＣｌｉｐｐｅｒプログラムを通じてｅメールをメールサーバーで受信する方法
【請求項３】
第〔請求項１〕において、ＷＡＰサーバー上でＣｌｉｐｐｅｒプログラムを利用してｅメールをメールサーバーで受信する方法
【請求項４】
第〔請求項１〕において、ＰＣ又はＷＡＰサーバー上でダウンロードしたｅメールを内容及び添付ファイルに分類して別途保存する方法
【請求項５】
第〔請求項１〕において、ＰＣ又はＷＡＰサーバー上のＣｌｉｐｐｅｒプログラムを通じて受信したｅメールを携帯電話のモバイルビュープログラムのファイルフォーマットに合うように変換する方法
【請求項６】
第〔請求項１〕において、既に保存されてる使用者の情報を基準として該当する移動通信社の無線インターネット網を利用してダウンロードが可能たるファイルフォーマットに再変換する方法
【請求項７】
第〔請求項１〕において、変換されたｅメールの内容及び添付ファイルの有無を知らせる事と、ダウンロードが可能たる経路を知らせるＣａｌｌＢａｃｋ  ＳＭＳを伝送する方法
【発明の詳細な説明】
【発明の詳細な説明】
【発明の目的】
【発明の技術分野及びその分野の従来の技術】
本発明は受信許可を指定した発信者より届いたｅメールがメールサーバーに到着する事になると、Ｃｌｉｐｐｅｒプログラムが自動的にＰＯＰ３プロトコルを利用してメールサーバーから新規メールを複写させられ複写されたｅメールは自動的に本文と添付ファイルを分類及び携帯端末機のビュープログラムのフォーマットに合うように変換され使用者が指定した携帯端末機よりＣａｌｌＢａｃｋ  ＳＭＳを利用してリアルタイムで携帯端末機で伝達及び内容を確認する事が出来るようにした技術に関したものである。
従来、ｅメールの場合、使用者のＰＣからウェブ又は別途のメールクライアントプログラム（マイクロソフトのソフトアウトルック、アウトエクスプレスなど）を利用して確認する事であった。
しかし、従来のｅメールの受信方法は使用者のＰＣ内だけで可能な事であって、無線網を通じたｅメールの受信等は単純に携帯端末機でｅメールの内容だけを確認出来るきわめて制限的な範囲だけで成り立っていたし、又はｅメールに添付され伝送された添付ファイルに対しては携帯端末機内に確認する事が出来る方法に対しては提示されてなかった。
例えば、事業場外で業務に従事していた使用者が緊急にｅメールを確認しなければならない状況が発生したり、外部から重要なメール及びメールに添付されて届いた内容を確認しなければならない場合には、事務所に連絡してメールの内容を口頭で確認したり、又は近くのインターネットが可能な外部のＰＣから会社のメールサーバーに接続したり、事務所の所員に要請したり、近くのファクスにて添付ファイルの内容を受信するなどの方法であった。このような場合、外部の人にｅメールに関する内容が公開されたり等、使用者の情報の弱みが問題になったりして、この為に最近の携帯端末機でもメールを確認出来るような機能が追加されたけれども、従来の方法では携帯端末機を利用したｅメールの受信がきわめて制限的になったり、特に添付ファイルの内容確認に対しては不可能だった。
しかし、携帯端末機の機能が尖端化されていくにつつ、娯楽などのエンターテインメント的な要素のみならず、文書の保管及び伝送手段となったり、ｅメールの受信、及び内容確認などの目的としても携帯端末機を活用しようとする動きがあった。
【発明が成し遂げようとする技術的な課題】
上記の問題点と要求事項などを解決しようとする本発明の案出された事としては、使用者のＰＣ又はＷＡＰサーバー内のＣｌｉｐｐｅｒプログラムが使用者の設定したメールサーバーに接続して、新しいｅメールを確認し、使用者のＰＣ又はＷＡＰサーバーにＰＯＰ３プロトコルを利用してｅメールの内容及び添付ファイルをダウンロードして、Ｃｌｉｐｐｅｒプログラム内でｅメールの内容及び添付ファイルを分類した後、携帯端末機のフォーマットに合うように変換され、ＰＣ連動方式の場合、変換されたファイルを有線インターネット網を通じてＷＡＰサーバーに伝達し、既に設定された使用者の携帯端末機の番号にＣａｌｌＢａｃｋ  ＳＭＳを伝送して使用者が新規ｅメールの受信可否及び内容確認の同意を求めた後、同意した際に携帯端末機でダウンロード及び携帯端末機のビュープログラムを利用して受信されたｅメールの内容及び添付ファイルを確認する事が出来るようにした方式だ、ＷＡＰサーバー連動方式の場合、サーバー内の使用者設定の内容に従い変換された携帯端末機でＣａｌｌＢａｃｋ  ＳＭＳを伝送して使用者が同意の際に無線インターネット網を通じて変換されたｅメールのファイルを携帯端末機でダウンロードされ、携帯端末機のビュープログラムを通じてｅメールの内容及び添付ファイルを確認する事が出来るようにしたのが本発明の目的である。
【発明の構成】
本発明は使用者のＰＣ及びＷＡＰサーバー上に設置され、メールサーバーの設定、受信許容ｅメールリストを保存及び新規ｅメールをダウンロードして内容と添付ファイルに分類及び変換のためＣｌｉｐｐｅｒプログラムとｅメールの受信可否及び変換されたファイルのダウンロード可否及び無線インターネット網を通じてダウンロード可能たる経路を提供してくれるＣａｌｌＢａｃｋ  ＳＭＳを発送するプログラム及び携帯端末機から変換された文書の内容を確認する事が出来るビュープログラムで構成される。
以下、添付された図面を参照しながら本発明の実施例を詳細に説明する。
図１は本発明による使用者ＰＣと携帯端末機間のｅメールＣｌｉｐｐｅｒサービスの構成図だ。
図２は本発明によるＷＡＰサーバーと携帯端末機間のｅメールＣｌｉｐｐｅｒシステムの構成図だ。
図３は本発明による使用者ＰＣと携帯端末機間のｅメールＣｌｉｐｐｅｒシステムのプロセス流れ図だ。
図４は本発明によるＷＡＰサーバーと携帯端末機間のｅメールＣｌｉｐｐｅｒシステムのプロセス流れ図だ。
図５はＣｌｉｐｐｅｒシステムの細部プロセス流れ図だ。
図１及び図２に図示したように本発明によるｅメールＣｌｉｐｐｅｒシステムはＰＣ（Ａ１０），サーバー（Ａ３０，Ａ４０）及び携帯端末機（Ａ６０）を含むこととする。
ＰＣ（Ａ１０）は基本的に使用者が使用するＰＣを基本として、ＰＣ連動方式のｅメールＣｌｉｐｐｅｒプログラムが設置されている部分で、相手が発送して使用者のメールサーバー（Ａ３０）を経由してはいて来るメールなどを携帯端末機（Ａ６０）のビュープログラムのファイルフォーマットに合わせて分類及び変換させ、使用者の同意の為ＣａｌｌＢａｃｋ  ＳＭＳを発送するＷＡＰサーバーと通信して変換されたファイルをＷＡＰサーバーに伝送する。
ＷＡＰサーバー（Ａ４０）は使用者が有線インターネット網を通じて接続が可能となり、あらかじめ設定された使用者のメールサーバー及び受信許容リストに従い、メールサーバーよりｅメールを受信した後、これを内容及び添付ファイルで分類して携帯端末機（Ａ６０）のビュープログラムのファイルフォーマットに合う形式で変換させた後、ＷＡＰサーバー（Ａ４０）内のＳＭＳ伝送モジュールを駆動させ、あらかじめ指定した使用者の携帯端末機（Ａ６０）へＣａｌｌＢａｃｋ  ＳＭＳを発送して使用者には新しいｅメールの内容及び添付ファイルがあることを知らせながら、使用者が無線インターネット網を通じて接続を試みすると該当ファイルを携帯端末機（Ａ６０）へ伝送してくれる。使用者の携帯端末機（Ａ６０）はＷＡＰサーバー（Ａ４０）から伝達されたＣａｌｌＢａｃｋ  ＳＭＳが使用者により同意されると上記のＷＡＰサーバー（Ａ４０）との通信を通じ、上記に変換されたファイルが無線インターネット網を通じてダウンロードして携帯端末機の貯蔵部に貯蔵及びビュープログラムを駆動してダウンロードされたファイルを携帯端末機の液晶画面に出力する。
本発明による受信許可を指定した発信者より届いたｅメールが到着すると自動的にｅメールの内容と添付ファイルを指定した携帯電話へ伝送してリアルタイムで新規ｅメールを確認する事が出来るｅメールＣｌｉｐｐｅｒシステムに対しては図３と図４を参照しながら説明する。
図３は本発明による使用者ＰＣと携帯端末機のｅメールＣｌｉｐｐｅｒシステムのプロセスの流れ図だ。これは上記で話したようにＰＣ連動方式のｅメールＣｌｉｐｐｅｒシステムを図示化したものである。
図３に図示した通り使用者のＰＣ（Ａ１０）内のＣｌｉｐｐｅｒプログラムを設置した後使用者が使用者の携帯端末番号、ＷＡＰサーバーの情報、メールサーバーのＰＯＰ３設定及び受信許容リストに対する設定を完了させる事になると（Ｓ１０），Ｃｌｉｐｐｅｒプログラムが指定させた時間毎に設定されたメールサーバーのＰＯＰ３プロトコルを利用して接続したあと（Ｓ２０）、Ｃｌｉｐｐｅｒプログラム内の受信許容リストを参照してリストに含まれている新規ｅメールを確認して使用者のＰＣにダウンロードする（Ｓ３０）。使用者のＰＣ（Ａ１０）にダウンロードされたｅメールはＣｌｉｐｐｅｒプログラムによってｅメールの内容部分と添付ファイル部分に分類させられる事と分類されたｅメールの内容及び添付ファイルは使用者携帯端末機のビュープログラムが認識する事が出来るようにファイルフォーマットに変換される（Ｓ４０）。
上記に述べたように、Ｃｌｉｐｐｅｒプログラムから変換されたｅメールの内容及び添付ファイルは有線インターネット網（Ａ２０）を通じてＣｌｉｐｐｅｒプログラム内に設定された、ＷＡＰサーバー（Ａ４０）に伝送される事になる（Ｓ５０）、ＷＡＰサーバー（Ａ４０）では伝送されたファイルを保存した後、使用者携帯端末機（Ａ６０）の移動通信社を把握して該当移動通信社の無線インターネット網を通じてダウンロードを受けられるようにファイルフォーマットを変換する。
上記と同じように変換されたファイルをＷＡＰサーバー（Ａ４０）内のＳＭＳ発送モジュールが管理するデーターベースに貯蔵されるとＳＭＳ発送モジュールはまず、使用者の携帯端末機（Ａ６０）へ新規ｅメールの受信可否と変換されたファイルのダウンロード可否及び変換されたファイルのダウンロードの経路が含まれたＣａｌｌＢａｃｋ  ＳＭＳを発送する事になる（Ｓ６０）。
このＣａｌｌＢａｃｋ  ＳＭＳは使用者が変換されたファイルをダウンロードするかどうかの可否を問われるメッセージと上記に変換される前のｅメールの簡略な内容とｅメールの発信者に対する情報を含まれている。
これによって使用者はＣａｌｌＢａｃｋ  ＳＭＳの内容を確認して己に伝送されたｅメールである事をわかるようになる。使用者は携帯端末機（Ａ６０）に伝送されたＣａｌｌＢａｃｋ  ＳＭＳを確認したあと、ｅメールの内容及び添付ファイルが変換されたファイルのダウンロードを拒否される事になると（Ｓ７０の“Ｎｏ”）、伝送作業はその状態で終わると使用者の携帯端末機（Ａ６０）には何の情報もこれ以上伝達されなくなる（Ｓ１１０）
上記とは別に使用者が携帯端末機（Ａ６０）に伝送されたＣａｌｌＢａｃｋ  ＳＭＳを確認して必要なメールだと判断したら、携帯端末機上には確認（又は接続）ボタンを押し、ｅメールの内容及び添付ファイルが変換されたファイルのダウンロードを承認させると（Ｓ７０の“Ｙｅｓ”）、ＣａｌｌＢａｃｋ  ＳＭＳに包含されて変換されたファイルの経路を参照して使用者の携帯端末機（Ａ６０）はＷＡＰサーバー（Ａ４０）よりｅメールの内容及び添付ファイルが含まれているファイルをダウンロードされる事となり（Ｓ８０），ダウンロードされたファイルのフォーマットを携帯端末機（Ａ６０）が認識して携帯端末機内のビュープログラムを駆動させる事となり（Ｓ９０），ビュープログラムはダウンロードされたファイルを携帯端末機（Ａ６０）の画面に出力して使用者に寄らせ実際のメールサーバー（Ａ３０）へ伝送されたｅメールの内容及び添付ファイルを確認する事が出来る（Ｓ１００）。
図４は本発明によるＷＡＰサーバーと携帯端末機間のｅメールＣｌｉｐｐｅｒシステムのプロセス流れ図だ。
これは上記で言及した通り、サーバー連動方式のｅメールＣｌｉｐｐｅｒシステムを図示化したものである。図４に図示した通り、使用者が有線インターネット網（Ａ２０）を利用してＷＡＰサーバー（Ａ４０）に接続してＷＡＰサーバー（Ａ４０）内のＣｌｉｐｐｅｒプログラム内の設定機能を利用して使用者の携帯端末機番号、メールサーバーのＰＯＰ３設定及び受信許容リストに対する設定をする事になると（Ｐ１０）、Ｃｌｉｐｐｅｒプログラムが指定した時間毎、設定したメールサーバー（Ａ３０）のＰＯＰ３プロトコルを利用してメールサーバー（Ａ３０）に接続して（Ｐ２０），Ｃｌｉｐｐｅｒプログラム内の受信許容リストを参照してリストに含まれた新規ｅメールを確認してＷＡＰサーバー（Ａ４０）の特定フォルダにダウンロードする（Ｐ３０）。
ＷＡＰサーバー（Ａ４０）にダウンロードされたｅメールはＷＡＰサーバー内のＣｌｉｐｐｅｒプログラムによってｅメールの内容部分と添付ファイル部分を分類させ、分類されたｅメールの内容及び添付ファイルは使用者携帯端末機のビュープログラムが認識する事が出来るようなファイルフォーマットに変換される（Ｐ４０）
上記と同じようにＣｌｉｐｐｅｒプログラムで変換されたｅメールの内容及び添付ファイルはＷＡＰサーバー（Ａ４０）が使用者携帯端末機の移動通信社を把握した後、該当移動通信社の無線インターネット網を通じてダウンロードがされるようなファイルフォーマットに変換する。
上記と同じように変換されたファイルをＷＡＰサーバー（Ａ４０）内のＳＭＳ発送モジュールが管理するデーターベースに貯蔵されるとＳＭＳ発送モジュールはまず、使用者の携帯端末機（Ａ６０）に新規ｅメールの受信可否と変換されたファイルのダウンロード可否及び変換されたファイルのダウンロード経路が含まれたＣａｌｌＢａｃｋ  ＳＭＳを発送させることが可能となる（Ｐ５０）。このＣａｌｌＢａｃｋ  ＳＭＳは使用者が変換されたファイルをダウンロードするかどうかを問うメッセージと上記変換される前のｅメールの簡略な内容とｅメールの発信者に対する情報を含まれている。これによって使用者はＣａｌｌＢａｃｋ  ＳＭＳの内容を確認して己に伝送されたｅメールがあることを知るようになる。
使用者は携帯端末機（Ａ６０）に伝送されたＣａｌｌＢａｃｋ  ＳＭＳを確認してｅメールの内容及び添付ファイルが変換されたファイルのダウンロードを拒否すると（Ｐ６０の“Ｎｏ”）伝送作業はその状態で終わらせると使用者の携帯端末機（Ａ６０）には何の情報もこれ以上伝達されなくなる（Ｐ１００）。上記とは別に使用者が携帯端末機（Ａ６０）に伝送されたＣａｌｌＢａｃｋ  ＳＭＳを確認して必要なメールだと判断された場合には携帯端末機上では確認（又は接続）ボタンを押し、ｅメールの内容及び添付ファイルが変換されたファイルのダウンロードを承認させると（Ｐ６０の“Ｙｅｓ”）、ＣａｌｌＢａｃｋ  ＳＭＳに含まれて変換されたファイルの経路を参照して使用者の携帯端末機（Ａ６０）はＷＡＰサーバー（Ａ４０）よりｅメールの内容及び添付ファイルが含まれてるファイルをダウンロードされる事となり（Ｐ７０），ダウンロードされたファイルのフォーマットを携帯端末機（Ａ６０）が認識して携帯端末機内のビュープログラムを駆動させる事となり（Ｐ８０），ビュープログラムはダウンロードされたファイルを携帯端末機（Ａ６０）の画面に出力して使用者に寄らせ実際のメールサーバー（Ａ３０）に伝送されたｅメールの内容及び添付ファイルを確認する事が出来る（Ｐ９０）。
図５はｅメールＣｌｉｐｐｅｒプログラム内部の細部プロセスの流れ図だ。図５に図示したように使用者のＰＣ（Ａ１０）又はＷＡＰサーバー（Ａ４０）のＣｌｉｐｐｅｒプログラムは使用者があらかじめ設定しておいた使用者の携帯端末機番号、メールサーバーのＰＯＰ３設定、受信許容、ｅメールリストを通じて使用者が既に設定したメールサーバーにＰＯＰ３プロトコル及び使用者のｅメールＩＤ及び暗証番号を利用して接続する（Ｑ１０）上記と同じように接続したメールサーバーでは使用者のｅメールアドレスに届いた全体のメールの中でＣｌｉｐｐｅｒプログラムの許容受信ｅメールリストを参照して該当ｅメールリストより発信されたｅメールがあるかどうかを確認する事と（Ｑ２０）、受信が許容されたｅメールがある場合使用者のＰＣ又はＷＡＰサーバーの別途の貯蔵空間に有線インターネット網を通じて受信が許容されたｅメールの複写本をダウンロードする（Ｑ３０）上記のようにダウンロードされたｅメールは使用者のＰＣ（Ａ１０）またはＷＡＰサーバー（Ａ４０）内のＣｌｉｐｐｅｒプログラムによってｅメールの内容部分と添付ファイルなどで分類をすることになる（Ｑ４０）分類された情報を個別的にＷＡＰサーバー（Ａ４０）内の特定フォルダに貯蔵させて（Ｑ５０）貯蔵されたｅメールの内容及び添付ファイルはＣｌｉｐｐｅｒプログラム内の変換モジュールによってｅメールの内容に該当する部分はまず、ＨＴＭＬ（Ｈｙｐｅｒ  Ｔｅｘｔ  Ｍａｒｋｕｐ  Ｌａｎｇｕａｇｅ）文書に変換された後、携帯端末機（Ａ６０）のビュープログラムに合うファイルフォーマットに圧縮、変換させる事となり分類されたｅメールの添付ファイル部分は直ちに携帯端末機のビュープログラムに合うファイルフォーマットに圧縮、変換される事となる（Ｑ６０）
上記と同じように変換されたファイルを貯蔵していた使用者のＰＣ（Ａ１０）の場合、変換されたファイルを有線インターネット網（Ａ２０）を通じてＷＡＰサーバー（Ａ４０）に伝達する過程を進行させることとなり、自体的に変換されたファイル又は使用者のＰＣ（Ａ１０）より伝達され、変換されたファイルを貯蔵しているＷＡＰサーバー（Ａ４０）は使用者が個別的に設定させておいたＣｌｉｐｐｅｒプログラム内のメール自動伝達機能のオプションを確認して自動伝達機能が設定されている場合（Ｑ７０の“Ｙｅｓ”），使用者の携帯端末機の番号を基準にして該当使用者が利用している移動通信社を確認した後、携帯端末機（Ａ６０）のビュープログラムが支援しているファイルフォーマットに変換されたファイルを該当移動通信社で無線インターネット網（Ａ５０）からのダウンロードを支援しているファイルフォーマットに変換する（Ｑ８０）．
上記のように最終的に変換されたファイルをＣｌｉｐｐｅｒプログラムでＳＭＳ発送モジュールが制御しているデーターベース内の特定テーブルに使用者の携帯端末機の番号及び基本情報と一緒に挿入する（Ｑ９０）。このような過程が完了になるとＷＡＰサーバー内のＣａｌｌＢａｃｋ  ＳＭＳの発送モジュールがデーターベースに挿入された内容を参照して、上記で言及したとおり使用者が変換されたファイルをダウンロード可能な経路及び実際ｅメールが含まれていたｅメールの発信者に対する情報及び変換されたファイルをダウンロードするかどうかを問われるＣａｌｌＢａｃｋ  ＳＭＳを発送する事になる（Ｑ１００）。
【発明の効果】
いままで述べたように、本発明により、現在有線インターネット網を通じて別途のウェブプログラム又はｅメールクライアントプログラムを通じる事だけで確認することができた事がｅメールの内容及び添付されて来るすべての形式の文書ファイルなどを携帯端末機のモバイルビューのフォーマットに合うように変換及びＣａｌｌＢａｃｋ  ＳＭＳを通じて時間又は場所に関係なくいつでも、どこでも、ｅメールの内容及添付ファイルの内容を確認する事が出来、携帯端末機がユビキタス時代に相応しいマルチメディア及び業務用端末機として活用する事が出来るように作られている。
【図面の簡単な説明】
【図１】は本発明による使用者ＰＣと携帯端末機間のｅメールＣｌｉｐｐｅｒシステムの構成図
【図２】は本発明によるＷＡＰサーバーと携帯端末機間のｅメールＣｌｉｐｐｅｒシステムの構成図
【図３】は本発明による使用者ＰＣと携帯端末機間のｅメールＣｌｉｐｐｅｒシステムのプロセス流れ図
【図４】は本発明によるＷＡＰサーバーと携帯端末機間のｅメールＣｌｉｐｐｅｒシステムのプロセス流れ図
【図５】はＣｌｉｐｐｅｒシステムの細部のプロセス流れ図
【符号の説明】
Ａ１０：ＰＣ
Ａ３０：メールサーバー
Ａ４０：サーバー
Ａ６０：移動通信端末
【図１】
2007109191.tif 000003
【図２】
2007109191.tif 000004
【図３】
2007109191.tif 000005
【図４】
2007109191.tif 000006
【図５】
2007109191.tif 000007